(57)【特許請求の範囲】
【請求項１】
投入口（２）と取出口（３）を有する家屋の外壁或いは敷地のへい等に埋設して取り付けられる郵便受箱において、前記投入口（２）の開口部に投入口蓋（４）を開閉自在に設け、かつ該投入口（２）の下縁内側所定位置に樋状水受け部（11）をほぼ水平に取付け、かつ前記投入口（２）に設けられた投入口蓋（４）の下端縁（４ａ）が前記樋状水受け部（11）の上方に位置するように構成し、前記樋状水受け部（11）の端部に該樋状水受け部（11）に溜まった水を下方に導入して排水し得る水受けガイド部（12）を取付け、前記投入口（２）の上縁外側所定位置及び前記投入口蓋（４）の下縁外側所定位置に垂下片からなる水切部（９），（７）を設け、前記樋状水受け部（11）の両端部が前記水受けガイド部（12）の傾斜部を有する突起受け部（12ａ）に嵌合挿入されたことを特徴とした郵便受箱。
【発明の詳細な説明】
【０００１】
【発明の属する技術分野】
本発明は郵便受箱の改良に係り、特に箱内に侵入する雨水をスムーズに排水しかつ簡単に組み立て安価に構成することが出来る郵便受箱に関するものである。
【０００２】
【従来の技術】
この種の郵便受箱に於いて、郵便受箱内に侵入した雨水を箱外に排出しようとした従来の公知技術としては、例えば特開平８−１７３３０３号公報（第１公知技術）或いは実開昭６０−８６８６号公報（第２公知技術）等に記載された技術が知られている。
【０００３】
前記第１公知技術は、郵便受箱の底板を屋外側に向けて下向き傾斜に形成し、かつこの底板上に中仕切り板を水平状に取付けて構成し、箱内に投入された郵便は前記中仕切り板によって受け、かつ箱内に侵入した雨水は、傾斜した底板によって導いて箱の屋外側下端縁に設けた排水孔より排出するようにした技術である。
【０００４】
また、前記第２公知技術は、箱内の底部に上縁が内方に斜めに傾斜した下水返片を郵便物の投入口の内側近傍に起立突設すると共に、該底部の屋外側所定位置に水抜穴を設け、投入口より箱内に侵入した雨水を前記下水返片で受けて該箱内の屋外側底部に導いて水抜穴より排水するようにした技術である。
【０００５】
さらに、図６は従来一般的に使用されていた郵便受箱の投入口の構成を示す縦断面説明図であって、郵便受箱本体５１の郵便物投入口５２には、投入口蓋５３が軸５４を支軸としてスプリングバネ材５５によって開閉自在に軸着されていた。また、前記投入口蓋５３の下縁は投入口５２の下縁５６の内側に当接するように構成されていた。図中５７は下部より起立された下水返片である。
【０００６】
【発明が解決しようとする課題】
しかし、前記の第１公知技術及び第２公知技術に於いては、いずれも雨水を郵便受箱の底部に一旦導入させ、その後で箱外に排出する手段を用いるように構成されているので、近年一般的に用いられるようになった高さが大きい多量の郵便物を収納し得る大型郵便受箱に於いては、投入口より箱内に侵入して来た雨水が箱内に飛散し易くなるので、箱内全体を濡らし、郵便物に被害を与える等の問題があった。
【０００７】
また、前述の従来の郵便受箱び投入口はプラスチックの射出成形等によって一体成形で構成したり、或いは曲げ板金で構成するので、高価な成形金型等を用いなければならないので、コスト高になる問題があった。さらに、このような一体成形或いは曲げ板金で構成する場合には、投入口の部分意匠の変更が困難である問題があった。
【０００８】
前述の図６に示す従来例の場合には、投入口蓋５３の外壁に沿って流下する雨水が、投入口蓋５３の下縁と投入口５２の下縁５６との当接された隙間から箱内に流入し、矢印に示す如く箱内に飛散する問題があった。
【０００９】
本発明に係る郵便受箱は、前述の多くの問題に鑑み開発された全く新しい技術であって、特に郵便受箱の投入口の下縁内側に水受け部を設けて雨水が箱内に深く侵入することを防止し、或いは投入口の上縁外側所定位置、前記投入口蓋の下縁外側所定位置に水切部を設けることによって雨水が箱内に侵入することを事前に防止し、または投入口を正面構成部材と側面構成部材とに分割することによって簡単に組立構成するようにした全く新しい郵便受箱の技術を提供するものである。
【００１０】
【課題を解決するための手段】
本発明に係る郵便受箱は、前述の従来の問題点を根本的に改善した全く新しい技術であって、その第１発明の要旨は、投入口（２）と取出口（３）を有する家屋の外壁或いは敷地のへい等に埋設して取り付けられる郵便受箱において、前記投入口（２）の開口部に投入口蓋（４）を開閉自在に設け、かつ該投入口（２）の下縁内側所定位置に樋状水受け部（11）をほぼ水平に取付け、かつ前記投入口（２）に設けられた投入口蓋（４）の下端縁（４ａ）が前記樋状水受け部（11）の上方に位置するように構成し、前記樋状水受け部（11）の端部に該樋状水受け部（11）に溜まった水を下方に導入して排水し得る水受けガイド部（12）を取付け、前記投入口（２）の上縁外側所定位置及び前記投入口蓋（４）の下縁外側所定位置に垂下片からなる水切部（９），（７）を設け、前記樋状水受け部（11）の両端部が前記水受けガイド部（12）の傾斜部を有する突起受け部（12ａ）に嵌合挿入されたことである。
【００１１】
前述の第１発明に於いては、郵便受箱の投入口（２）の開口部に投入口蓋（４）を開閉自在に設けると共に、投入口（２）の下縁内側所定位置に樋状水受け部（11）を設けたので、前記投入口蓋（４）に沿って箱内に侵入して来る雨水を樋状水受け部（11）で受けて、雨水が箱内深く侵入することを防止することが出来る。
【００１２】
また、樋状水受け部（11）を投入口（２）の下縁内側にほぼ水平に取付け、かつ投入口（２）に設けられた投入口蓋（４）の下端縁（４ａ)を該樋状水受け部（11）の上方に位置させたので、該投入口蓋（４）に付着して流下する雨水を樋状水受け部（11）で受けることによって、雨水が箱内に深く侵入することを防止出来る。
【００１３】
また、投入口（２）の下縁内側に設けた樋状水受け部（11）の端部に水受けガイド部（12）を取付けて構成したので、該樋状水受け部（11）に溜まった水をこの水受けガイド部（12）によって箱の下方に導入して排出することが出来る。
【００１４】
また、郵便受箱の投入口（２）の上縁外側及び投入口蓋（４）の下縁外側の所定位置に垂下片からなる水切部（９），（７）を設けて構成したので、これ等の水切部（９），（７）によって箱の外側上方及び投入口蓋（４）の外側上方かつ壁面に沿って流下する雨水を、これ等の水切部（９），（７）によって下方に流下させて、該投入口（２）から雨水が箱内に侵入することを事前に防止することが出来る。
【００１５】
【発明の実施の形態】
図により本発明に係る郵便受箱の一実施例を具体的に説明すると、図１は本発明に係る郵便受箱の縦断面説明図、図２は図１の郵便受箱の平面図、図３は図１の郵便受箱の要部の縦断面説明図、図４は樋状水受け部と水受けガイド部との接続部の構成を示す説明図、図５は正面構成部材と側面構成部材との差込組立状態を示す斜視説明図である。
【００１６】
図１乃至図５に於いて、１は本発明に係る郵便受箱の箱本体であって、その片側上部に郵便物の投入口２が設けられ、かつ該投入口２に対応する反対側には取出口３が設けられている。
【００１７】
前記投入口２には、投入口蓋４が軸受け部５を支軸として開閉し得る如く取付けられている。該軸受け部５には投入口蓋４を付勢し得るコイルスプリング６が取付けられている。前記投入口蓋４の下端縁４ａは内側に逆Ｌ状に折曲げられている。また、この投入口蓋４の下端縁４ａの折曲基部の外側には第１水切部７が下方に突設されている。
【００１８】
前記投入口２の上縁８の外側にも投入口２に向かって第２水切部９が垂下されている。投入口２の下縁１０のし得る蓋受片１０ａが設けられている。
【００１９】
１１は樋状の水受け部であって、前記投入口２の下縁１０の内側にほぼ水平に一体的に取付けられている。前記投入口蓋４の下端縁４ａと該水受け部１１の関係は、この下端縁４ａが前記蓋受片１０ａに当接された際に、下端縁４ａが水受け部１１の上方に位置する如く構成されている。
【００２０】
前記水受け部１１の両端部には水受けガイド部１２が夫々取付けられている。この水受け部１１と水受けガイド部１２との関係は、特に図３及び図４（ａ）（ｂ）（ｃ）に示す如く、水受け部け１１の樋部に溜まった雨水が水受けガイド部１２によって箱本体１の下方に導かれ、箱本体１の底部所定位置に設けられた排水穴より箱外に排出されるように構成されている。
【００２１】
前記箱本体１の投入口２は、特に図５によって明らかな如く、正面構成部材２１と一対の側面構成部材２２とに分割されて構成されている。該正面構成部材２１には前記水切部９が設けられ、かつ側面構成部材２２には軸受け部５が設けられている。
【００２２】
そして、側面構成部材２２の内側には正面構成部材２１の端部を挿入することが出来るスペースを有している。また、側面構成部材２２の内側及び正面構成部材２１の端部には、夫々所定の突起部、受部材等が設けられており、これ等の突起部、受部材等を組合わせることによって、側面構成部材２２の内部スペースに差込まれた正面構成部材２１の端部が自動的に固定されるように構成されている。
【００２３】
従って、本発明に係る郵便受箱に於いては、前述のように構成された正面構成部材２１の両端部を夫々両側に配置された側面構成部材２２内に差込んで組立構成することによって、投入口２を予め簡単に仮組みしておくことが出来る。
【００２４】
【発明の効果】
本発明に於いては、郵便受箱の投入口の開口部に投入蓋を開閉自在に設けると共に、投入口の下縁内側所定位置に水受け部を設けたので、前記投入蓋に沿って箱内に侵入して来る雨水を水受け部で受けて、雨水が箱内深く侵入することを防止することが出来る効果を有している。
【００２５】
本発明に於いて、樋状水受け部を投入口の下縁内側にほぼ水平に取付け、かつ投入口に設けられた投入口蓋の下端縁を該樋状水受け部の上方に位置させた場合には、該投入口蓋に付着して流下する雨水を樋状水受け部で受けることによって、雨水が箱内に深く侵入することを防止出来る効果を有している。
【００２６】
本発明に於いて、投入口の下縁内側に設けた樋状水受け部の端部に水受けガイド部を取付けて構成した場合には、該樋状水受け部に溜まった水をこの水受けガイド部によって箱の下方に導入して排出することが出来る効果を有している。
【００２７】
本発明に於いて、郵便受箱の投入口の上縁外側或いは投入口蓋の下縁外側の所定位置に水切部を設けて構成した場合には、これ等の水切部によって箱の外側上方或いは投入口蓋の外側上方かつ壁面に沿って流下する雨水を、これ等の水切部によって下方に流下させて、該投入口かつ雨水が箱内に侵入することを事前に防止することが出来る効果を有している。
【００２８】
本発明に於いて、前述のように郵便受箱投入口を正面構成部材と一対の側面構成部材とに分割すると共に、前記正面構成部材を両側の側面構成部材に差込んで組立構成するように構成した場合には、郵便受箱を製作する際に、投入口はこれ等の構成部材を予め仮組みして簡単に構成することが出来る効果を有している。
【００２９】
従って、投入口の本体への組込み固定を容易にし、かつ取付全体の工数を削減することが出来る。さらに、従来の如き複雑な金型を不要とすることが出来、製造コストを安価にすると共に投入口の意匠の変更を容易にすることが出来る等の多大な効果を有している。
【図面の簡単な説明】
【図１】  本発明に係る郵便受箱の縦断面説明図である。
【図２】  図１の郵便受箱の平面図である。
【図３】  図１の郵便受箱の要部の縦断面説明図である。
【図４】  樋状水受け部と水受けガイド部との接続部の構成を示す説明図である。
【図５】  正面構成部材と側面構成部材との差込組立状態を示す斜視説明図である。
【図６】  従来例の郵便受箱の縦断面説明図である。
【符号の説明】
１…箱本体
２…投入口
３…取出口
４…投入口蓋
５…軸受け部
６…コイルスプリング
７…第１水切部
８…上縁
９…第２水切部
１０…下縁
１１…水受け部
１２…水受けガイド部
１２ａ…突起受け部
２１…正面構成部材
２２…側面構成部材
【図１】
0004050501.tif 000002
【図２】
0004050501.tif 000003
【図３】
0004050501.tif 000004
【図４】
0004050501.tif 000005
【図５】
0004050501.tif 000006
【図６】
0004050501.tif 000007